(57)【要約】複数の高速パケットデータ（ＨＲＰＤ）リソースの使用を最適化する方法は、無線アクセスネットワークに結合された複数の移動局の各々に複数のＨＲＰＤリソースのいずれか１つを配分することを含み、複数のＨＲＰＤリソースのいずれか１つは、複数の移動局のいずれか１つと無線アクセスネットワークとの間で複数のＨＲＰＤセッションのいずれか１つを確立するために使われ、複数の移動局の各々はパケット交換データチャネルを使用していない。その後、追加の移動局が無線アクセスネットワークへ無線で結合し、ＨＲＰＤリソースを要求する。第１のＨＲＰＤリソースは、第１の移動局に通知することなく追加の移動局に再配分される。第１のＨＲＰＤセッションと追加のＨＲＰＤセッションは同時に維持される。
2009535919.tif 000002
【特許請求の範囲】
【請求項１】
回路交換（ＣＳ）チャネルとパケット交換データ（ＰＳＤ）チャネルとを有する通信ネットワークにおいて、高速パケットデータ（ＨＲＰＤ）リソースの使用を最適化する方法であって、
前記通信ネットワークの無線アクセスネットワークに結合された第１の移動局に前記ＨＲＰＤリソースを配分することであって、前記ＨＲＰＤリソースは、前記第１の移動局と前記無線アクセスネットワークとの間で第１のＨＲＰＤセッションを確立するために用いられ、前記第１の移動局は前記ＰＳＤチャネルを使用していない、前記配分すること、
第２の移動局が無線で結合して、
前記第１の移動局に通知することなく前記第２の移動局に前記ＨＲＰＤリソースを再配分することであって、前記ＨＲＰＤリソースは、前記第２の移動局と前記無線アクセスネットワークとの間で第２のＨＲＰＤセッションを確立するために用いられる、前記再配分すること、
前記第１の移動局が前記ＰＳＤチャネルを使用していないときに、前記ＨＲＰＤリソースを用いて、前記第１のＨＲＰＤセッションと前記第２のＨＲＰＤセッションとを同時に維持すること
を備える方法。
【請求項２】
前記第１の移動局がメッセージを送信することによって前記ＰＳＤチャネルの使用を試みること、
前記第１の移動局に前記ＨＲＰＤリソースが配分されているか否かを判断すること、
前記第１の移動局に前記ＨＲＰＤリソースが配分されていない場合に、メッセージタイプを判断すること、
前記メッセージタイプが要求メッセージタイプである場合に、前記第１のＨＲＰＤセッションを閉鎖し、前記第１の移動局と前記無線アクセスネットワークとの間で第３のＨＲＰＤセッションを確立するために第２のＨＲＰＤリソースを使用すること
をさらに備える、請求項１に記載の方法。
【請求項３】
前記ＰＳＤチャネルを使用していない前記第１の移動局は、ポイント・ツー・ポイント・プロトコルセッションを保持していない前記第１の移動局を含む、請求項１に記載の方法。
【請求項４】
前記ＰＳＤチャネルを使用していない前記第１の移動局は、前記ＰＳＤチャネルの使用契約がない前記第１の移動局を含む、請求項１に記載の方法。
【請求項５】
前記ＰＳＤチャネルを使用していない前記第１の移動局は、アイドル状態にある前記第１の移動局を含む、請求項１に記載の方法。
【請求項６】
前記第１の移動局は、前記ＣＳチャネルでアクティブ状態にある、請求項１に記載の方法。
【請求項７】
回路交換（ＣＳ）チャネルとパケット交換データ（ＰＳＤ）チャネルとを有する通信ネットワークにおいて、複数の高速パケットデータ（ＨＲＰＤ）リソースの使用を最適化する方法であって、
無線アクセスネットワークに結合された複数の移動局の各々に複数のＨＲＰＤリソースのいずれか１つを配分することであって、前記複数のＨＲＰＤリソースの前記いずれか１つは、前記複数の移動局のいずれか１つと無線アクセスネットワークとの間で複数のＨＲＰＤセッションのいずれか１つを確立するために用いられ、前記複数の移動局の各々は、前記ＰＳＤチャネルを使用していない、前記配分すること
追加の移動局が前記無線アクセスネットワークへ無線で結合し、ＨＲＰＤセッションを要求すること、
前記複数のＨＲＰＤリソースから再配分する第１のＨＲＰＤリソースを選択することであって、前記第１のＨＲＰＤリソースは、前記複数の移動局の第１の移動局の第１のＨＲＰＤセッションに対応している、前記選択すること、
前記第１の移動局に通知することなく前記追加の移動局に前記第１のＨＲＰＤリソースを再配分することであって、前記第１のＨＲＰＤリソースは、前記追加の移動局と前記無線アクセスネットワークとの間で追加のＨＲＰＤセッションを確立するために用いられる、前記再配分すること、
前記第１の移動局が前記ＰＳＤチャネルを使用していないときに、前記第１のＨＲＰＤリソースを用いて、前記第１のＨＲＰＤセッションと前記追加のＨＲＰＤセッションとを同時に維持すること
を備える、方法。
【請求項８】
回路交換（ＣＳ）チャネルとパケット交換データ（ＰＳＤ）チャネルとを使って通信するために結合される無線アクセスネットワークにおいて、複数の高速パケットデータ（ＨＲＰＤ）リソースの使用を最適化する方法であって、
前記無線アクセスネットワークに結合された複数の移動局の各々に複数のＨＲＰＤリソースのいずれか１つを配分することであって、前記複数のＨＲＰＤリソースの前記いずれか１つは、前記複数の移動局のいずれか１つと無線アクセスネットワークとの間で複数のＨＲＰＤセッションのいずれか１つを確立するために用いられ、前記複数の移動局の各々は、前記ＰＳＤチャネルを使用していない、前記配分すること、
追加の移動局が前記無線アクセスネットワークに無線で結合して、
前記複数のＨＲＰＤリソースから再配分する第１のＨＲＰＤリソースを選択することであって、前記第１のＨＲＰＤリソースは、前記複数の移動局の第１の移動局の第１のＨＲＰＤセッションに対応している、前記選択すること、
前記第１の移動局に通知することなく、前記追加の移動局に前記第１のＨＲＰＤリソースを再配分することであって、前記第１のＨＲＰＤリソースは、前記追加の移動局と前記無線アクセスネットワークとの間で追加のＨＲＰＤセッションを確立するために用いられる、前記再配分すること、
前記第１の移動局が前記ＰＳＤチャネルを使用していないときに、前記第１のＨＲＰＤリソースを用いて前記第１のＨＲＰＤセッションと前記追加のＨＲＰＤセッションとを同時に維持すること
を備える、方法。
【請求項９】
前記第１の移動局がメッセージを送信することによって前記ＰＳＤチャネルの使用を試みること、
前記第１の移動局に前記第１のＨＲＰＤリソースが配分されているか否かを判断すること、
前記第１の移動局に前記第１のＨＲＰＤリソースが配分されていない場合に、メッセージタイプを判断すること、
前記メッセージタイプが要求メッセージタイプである場合に、前記第１のＨＲＰＤセッションを閉鎖し、前記第１の移動局と前記無線アクセスネットワークとの間で別のＨＲＰＤセッションを確立するために第２のＨＲＰＤリソースを使用すること
をさらに備え、
前記第２のＨＲＰＤリソースは、前記複数のＨＲＰＤリソースから取得される、請求項８に記載の方法。
【請求項１０】
前記複数のＨＲＰＤリソースの再配分に優先順位を付けることをさらに備える、請求項８に記載の方法。
【発明の詳細な説明】
【背景技術】
【０００１】
音声向けに最適化されたネットワークとデータ向けに最適化されたネットワークの両方を含む無線ネットワーク、例えばＥＶ−ＤＯネットワークにおいて、音声向けに最適化された技術とデータ向けに最適化された技術の両方をサポートするハイブリッド型の移動局は、たとえ音声向けに最適化されたサービスだけを使用しているときでも高速パケットデータ（ＨＲＰＤ）セッションを必要とする。このため、それらの移動局がデータ向けに最適化されたネットワークを積極的に使っていなくともＨＲＰＤセッションのキャパシティは使い果たされてしまう。その結果、基地局コントローラのキャパシティの使用はアンバランスなものとなり、基地局コントローラのＨＲＰＤセッションキャパシティは、無線ネットワークの他のキャパシティが限度に達する前に枯渇することがある。
【発明の開示】
【発明が解決しようとする課題】
【０００２】
無線ネットワークでＨＲＰＤセッションとＨＲＰＤリソースの使用を最適化する必要があるが、このニーズは従来技術で満たされていない。したがって、上述した従来技術の欠陥を克服する装置及び方法が大いに求められている。
【発明を実施するための最良の形態】
【０００３】
本発明の典型的な要素、動作特徴、用途、及び利点のうちの少なくとも１つはとりわけ、本明細書の一部をなす添付の図面を参照しながらこれ以降さらに詳しく図解し、説明し、請求する構造及び動作の詳細に見ることができ、添付の図面では同様の部分を同様の符号で参照する。発明を実施するための最良の形態の中で列挙する例示的実施形態を踏まえれば、その他の要素、動作特徴、用途、及び利点のうちの少なくとも一つは明らかとなるであろう。
【０００４】
図の要素は簡潔且つ明瞭に描かれており、必ずしも一定の縮尺で描かれているとは限らない。例えば、本発明の様々な実施形態の理解を助けるため、図の中の一部の要素の寸法が他の要素に比べて誇張されることがある。さらに、「第１」、「第２」等の用語がここで使われる場合、それらの用語はとりわけ、類似する要素を区別するために使われているのであって、必ずしも連続した順序や時系列に沿った順序を説明するために使われているのではない。さらに、「前」、「後ろ」、「上部」、「下部」、「の上、「の下」等の用語が明細書及び特許請求の範囲のうちの少なくとも一方において使われている場合、それらの用語は概して説明の目的で使われているのであって、必ずしも排他的な相対位置を徹底的に説明するために使われているのではない。ここで説明する本発明の様々な実施形態は明示的に図示または説明するものとは別の構成及び別の方向性のうちの少なくとも一方で実施することもできるため、前述したとおりに使われる前記の用語は状況によって入れ替わることがある。
【０００５】
この後に続く本発明の典型的説明は、概して例示的実施形態と最良の態様に関する発明者の考えとに関するものであって、本発明の応用範囲や構成を何らかの形で制限することを意図するものではない。以降の説明はむしろ、本発明の様々な実施形態の具体化に役立つ例証の提供を意図するものである。いずれ明らかとなるように、開示する例示的実施形態で説明する任意の要素の機能及び配置のうちの少なくとも一方には、本発明の技術思想と範囲から逸脱することなく変更を施すことができる。
【０００６】
明確に説明するため、本発明の実施形態は部分的に個別の機能ブロックとして提示される。これらのブロックによって表される機能は、ソフトウェアを実行できるハードウェアを含みただしこれに限定されない、共用または専用のハードウェアを用いて提供できる。本発明は特定の要素一式による具体化に限定されず、ここでの説明は一実施形態を代表するものに過ぎない。
【０００７】
ここで用いる用語「複数」は、２つ、または２つより多い、と定義する。ここで用いる用語「別の」は、少なくとも２番目以降と定義する。ここで用いる用語「含む」及び「有する」のうちの少なくとも一方は、包含または構成する、と定義する（すなわち、オープンランゲージ）。ここで用いる用語「結合」は、接続と定義するが、直接的な接続とは限らず、且つ機械的な接続とは限らない。
【０００８】
本発明の実施形態を遂行するソフトウェアブロックは、メモリ等のコンピュータ可読媒体に格納された制御アルゴリズム等、コンピュータ命令を構成するコンピュータプログラムモジュールの一部をなすことがある。コンピュータ命令は、これ以降説明するいずれかの方法の遂行をプロセッサに指示することができる。実施形態によっては必要に応じて追加のモジュールを設けることもできる。
【０００９】
ただし、これらの用語及び類似する用語はすべて、適切な物理的数量に関連するものであって、それらの数量に付される便宜上の標識に過ぎないことに留意されたい。以降の説明で別段の明記がない限り、説明の全体を通じて「処理する」、または「演算する」、または「計算する」、または「決定する」、または「表示する」等の用語を用いた説明は、コンピュータシステムのレジスタ及びメモリの中で物理的（電子的）数量として表現されるデータを操作し、同じくコンピュータシステムのメモリまたはレジスタの中で、あるいは情報格納、伝送、または表示装置の中で、物理的数量として同様に表現される別のデータに変換する、コンピュータシステムの、または類似する電子演算装置の、アクション及びプロセスを指すものと理解する。
【００１０】
本発明はまた、ここでの操作を遂行する装置に関する。この装置は、所要の目的に合わせて特別に構成でき、あるいは内蔵されたコンピュータプログラムによって選択的に起動または再構成される汎用コンピュータを備え得る。かかるコンピュータプログラムはコンピュータ可読格納媒体に格納でき、これはフロッピーディスク、光学式ディスク、ＣＤ−ＲＯＭ、磁気光学式ディスクをはじめとする任意の種類のディスク、読み取り専用メモリ（ＲＯＭ）、ランダムアクセスメモリ（ＲＡＭ）、ＥＰＲＯＭ、ＥＥＰＲＯＭ、磁気または光学式カード、または電子命令の格納に適した任意の種類の媒体を含み、ただしこれらに限定されず、各々コンピュータシステムバスへ結合される。
【００１１】
本発明による通信システムは、いくつかの好適な実施形態の観点から、具体的には複数の規格のうち少なくとも１つに従って作動する無線通信ネットワークの観点から、説明する。これらの規格はアナログ、デジタル、または二重モード通信システムプロトコル、例えばＩＳ−９５符合分割多重アクセス（ＣＤＭＡ）デジタルセルラー、デマンド割り当て方式（ＤＡ／ＴＤＭＡ、ＤＡ／ＣＤＭＡ、ＤＡ／ＦＤＭＡ）、ワイドバンド符号分割多重アクセス（ＷＣＤＭＡ）、ＣＤＭＡ  ２０００  ＥＶ−ＤＯ、パーソナル通信システム（ＰＣＳ）、３Ｇ、３ＧＰＰ、ユニバーサル移動通信システム（ＵＭＴＳ）、これらのプロトコルの変形及び発展形などを含んでよく、ただしこれらに限定されない。
【００１２】
無線通信システムは周知であり、地上移動無線、セルラー無線電話機（アナログセルラー、デジタルセルラー、パーソナル通信システム（ＰＣＳ）、及びワイドバンドデジタルセルラーシステムを含む）、その他の通信システムを含む数多くの種類からなる。例えばセルラー通信システムでは、通常１つ以上の送受信基地局（ＢＴＳ）によっていくつかの通信セルが構成され、ＢＴＳは１つ以上の基地局コントローラ（ＢＳＣ）または集中基地局コントローラ（ＣＢＳＣ）へ結合し、ネットワークアクセスノードを形成する。ＢＳＣまたはＣＢＳＣは同様にモバイル交換センター（ＭＳＣ）またはパケット制御機能（ＰＣＦ）へ結合することがあり、ＭＳＣまたはＰＣＦは、ネットワークアクセスノードと、公衆交換電話網（ＰＳＴＮ）やＩＰネットワーク等の外部ネットワークとの間に接続を提供するほか、他のネットワークアクセスノードとの相互接続を提供する。各々のＢＴＳは、移動局（ＭＳ）へ信号を送信する順方向リンクとＭＳから信号を受信する逆方向リンクとを含む通信リソースを通じて、ＢＴＳによって提供されるサービスエリア内に位置するＭＳに通信サービスを提供する。
【００１３】
図１は、本発明の例示的実施形態に従う通信ネットワーク１００のブロック図を典型的に示すものである。通信ネットワーク１００はＲＡＮ１０４を含み、このＲＡＮはＢＳＣ１１０へ結合する少なくとも１つのＢＴＳ１０７を備える。ＲＡＮ１０４はＭＳＣ１１４にも結合し、ＭＳＣ１１４は、同様にＰＳＴＮ１１６へ結合し、ＰＳＴＮ１１６または他のＲＡＮとＲＡＮ１０４との間に通信リンクを提供する。ＲＡＮ１０４は、一実施形態において、エボリューション・データ・オプティマイズド（ＥＶ−ＤＯ）能力を有するＣＤＭＡネットワークである。
【００１４】
通信ネットワーク１００はさらに、ＲＡＮ１０４と無線通信で結合する移動局１０２を含む。移動局１０２は一実施形態において、携帯電話機、ＰＤＡ、ラップトップコンピュータ、デスクトップコンピュータ、またはＲＡＮ１０４と通信できる他の何らかの電子装置であってよい。移動局は無線リンク１２０を介してＲＡＮ１０４と無線通信で結合し、無線リンク１２０は順方向リンクと逆方向リンクとを含む。
【００１５】
ＢＳＣ１１０は一実施形態において、パケット制御機能（ＰＣＦ）１１８も含み得る。ＰＣＦ１１８は一実施形態において、インターフェイスを介し、ＣＤＭＡネットワークの場合はＡ１０／Ａ１１インターフェイスを介し、移動局１０２とパケットデータ処理ノード（ＰＤＳＮ）１０８との間で、パケットデータを、具体的にはＩＰパケットデータを、やり取りするため結合する。ＰＤＳＮ１０８は１つ以上のインターネットプロトコル（ＩＰ）ネットワーク１１３へ結合し得る。パケット制御機能１１８は、ＲＡＮ１０４と移動局１０２との間で到達可能な状態を維持する働きをし、データパケットに対して安定的なリンクを保証し、ＰＤＳＮ１０８からの流れをサポートするにあたって無線リンクリソースが用意されていないか不足している場合にＰＤＳＮ１０８から届くデータパケットを蓄積し、移動局１０２とＰＤＳＮ１０８との間でデータパケットを中継する。ＰＣＦ１１８は、ＣＤＭＡネットワークのＰＣＦに限定されず、ＧＳＭ、ＴＤＭＡ等、他の無線アクセスネットワークの中で実質的に同様の機能を果たす１つ以上のノードを含み得る。
【００１６】
ＰＤＳＮ１０８は、ＲＡＮ１０４から公共及び私設のうちの少なくとも一方のパケットネットワークへ至るゲートウェイとして機能するように結合されてもよく、このパケットネットワークは例えばＩＰネットワーク１１３であり、ただしこれに限定されない。ＰＤＳＮ１０８は一実施形態において、ネットワークアクセスサーバ、ホームエージェント、フォーリンエージェント等として機能し得る。ＰＤＳＮ１０８は、ＲＡＮ１０４とＩＰネットワーク１１３との間で無線パケットインターフェイスを管理し、加入者の移動局１０２にＩＰアドレスを提供し、パケット経路指定を遂行し、プロファイル情報やユーザ認証等に基づき加入者サービスを能動的に管理し得る。
【００１７】
通信ネットワーク１００は一実施形態において、例えばｗｗｗ．ｃｄｇ．ｏｒｇに見られる仕様書、表題「ＣＤＭＡ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」（ＣＤＭＡ２０００高速パケットデータ無線インターフェイス仕様）に記載されたＣＤＭＡ  １ｘＥＶ−ＤＯ等の、ＥＶ−ＤＯ対応ネットワークであってもよい。ＥＶ−ＤＯに対応する通信ネットワーク１００は、現在と後続の修正されたＥＶ−ＤＯ仕様を含む。
【００１８】
ＥＶ−ＤＯは、ＣＤＭＡ等の音声向けに最適化されたネットワークとともに配備される場合に、データのみの通信にあたって独立した通信チャネル、例えばパケット交換データ（ＰＳＤ）チャネル１２４を使用することができる。ただし、ＰＳＤチャネル１２４ではボイス・オーバーＩＰ（ＶｏＩＰ）を使って音声通信を行うこともできる。音声向けに最適化された古いＣＤＭＡネットワークは、独立した回路交換（ＣＳ）音声またはデータチャネル１２２で作動することがある。移動局１０２は、ＰＳＤチャネル１２４とＣＳチャネル１２２のいずれか一方または両方を使って通信できる。
【００１９】
当技術分野で周知のとおり、ＣＳチャネル１２２とＰＳＤチャネル１２４の両方を使って通信できる移動局１０２（ハイブリッド型移動局）の場合は、たとえ移動局１０２がＣＳチャネル１２２のみを使って通信しているときでも、移動局とＲＡＮ１０４との間で高速パケットデータ（ＨＲＰＤ）セッションを開始する必要がある。
【００２０】
ＨＲＰＤセッションは移動局１０２とＲＡＮ１０４との共有状態である。この共有状態で、移動局１０２とＲＡＮ１０４との間で取り決められ通信に使用されるプロトコルとプロトコル構成（ＨＲＰＤリソース１０６）を保管する。移動局１０２はＨＲＰＤセッションを開始しない限りＲＡＮ１０４と通信できない。たとえＨＲＰＤセッションが確立していても、移動局１０２とＰＤＳＮ１０８との間でポイント・ツー・ポイント・プロトコル（ＰＰＰ）接続が確立しているとは限らないことに注意されたい。
【００２１】
ＨＲＰＤリソース１０６は端末識別子を含んでよく、この端末識別子は例えばユニキャストアクセス端末識別子（ＵＡＴＩ）であり、ただしこれに限定されない。ＨＲＰＤリソース１０６はまた、ＨＲＰＤセッションを蓄積及び維持のうちの少なくとも一方を行うために割り当てるメモリスペースを含み得る。
【００２２】
図２は、従来技術における高速パケットデータセッション使用のグラフ２００を典型的に示すものである。グラフ２００は、ＨＲＰＤセッション２０１の数を時間の経過に沿って示すほか、ＰＰＰセッション２０２の数とＰＳＤチャネルに対するアクティブ接続２０３の数を時間の経過に沿って示している。ＰＰＰセッション２０２は、移動局１０２とＰＤＳＮ１０８との間でＡ１０／Ａ１１インターフェイスを介して確立する。ＰＰＰセッション２０２が確立すると、移動局１０２はＰＳＤチャネル１２４を使ってＩＰネットワーク１１３とパケットデータをやり取りできる。
【００２３】
図２に示されるとおり、そして上述したとおり、従来技術の場合において通信ネットワーク１００の中の各移動局１０２はＨＲＰＤセッション２０１を必要とする。ただし、ＰＰＰセッション２０２を保持する移動局１０２の数は通信ネットワーク１００を使用する移動局の合計数に満たない。さらに、ＰＰＰセッション２０２を保持する移動局のうち、ＰＳＤチャネルを積極的に使用する移動局の数（グラフ２０３）はＰＰＰセッション２０２の数を下回る。例えば、全ての移動局にＰＳＤチャネル１２４を使用する契約があるわけではないため、あるいは全ての移動局が一斉にＰＳＤチャネル１２４を積極的に使用するわけではないため、ＰＰＰセッション２０２を保持しながらＰＳＤチャネルを積極的に使用する移動局の数はＨＲＰＤセッション数を下回る。例えば移動局はＣＳチャネル１２２だけを使用することがある。従来技術の非効率性はＨＲＰＤセッションキャパシティの差２０４に現れており、これは通信ネットワーク１００の中で浪費されるＨＲＰＤセッションキャパシティに相当する。それぞれのＨＲＰＤセッションにはＨＲＰＤリソース１０６が必要であるため、ＨＲＰＤリソースの浪費にもなる。一実施形態においては、数に限りのあるＨＲＰＤリソースを通信ネットワーク１００の他のリソースよりも先に使い果たす可能性がある。
【００２４】
図３は、本発明の例示的実施形態に従い通信ネットワーク３００を典型的に示すものである。通信ネットワーク３００には、ＰＳＤチャネルを積極的に使用する複数の移動局３２０が、ＰＰＰセッションを保持しながらＰＳＤチャネルを現在使用していない複数の移動局３３０と併せて図示されている。３２０と３３０の各移動局はＨＲＰＤセッションを保持しているため、端末識別子及びメモリスペースのうちの少なくとも一つ等のＨＲＰＤリソースを使用する。
【００２５】
図３にはこのほかに、ＰＳＤチャネルを使用せずＰＰＰセッションを保持しない複数の移動局３４０が、移動局１−６と対応するＨＲＰＤリソース３０１−３０６によって表示されている。この複数の移動局３４０は、かつてＰＰＰセッションを保持していた場合と、一度も保持したことがない場合とがある。複数の移動局３４０の各々もまたＨＲＰＤセッションに入っているため、ＨＲＰＤリソースを使用する。
【００２６】
複数の移動局３４０はＰＳＤチャネル１２４を使用していないため、これらの移動局によるＨＲＰＤセッションと対応するＨＲＰＤリソースの保持は非効率的である。複数の移動局３４０は、ＨＲＰＤセッションを保持せずに、あるいはＨＲＰＤリソースを使用せずに、ＣＳチャネル１２２を使用することがある。ただし複数の移動局３４０が実際にＨＲＰＤセッションを必要としていないにもかかわらず、複数の移動局３４０はそれぞれのＨＲＰＤセッションを維持しなければならない。ＥＶ−ＤＯ仕様によると、たとえＰＳＤチャネル１２４でデータ通信を行うにあたってＨＲＰＤセッションが使われない場合でも、移動局は通信ネットワーク３００へ結合するためＨＲＰＤセッションを保持しなければならない。
【００２７】
一実施形態においては、複数の移動局３４０に対応するＨＲＰＤリソース３０１−３０６を、当初ＨＲＰＤリソースを使用している移動局に通知することなく、通信ネットワーク３００内の別の移動局３０８へ再配分できる。一実施形態の一例において、移動局１にはＨＲＰＤリソース３０１が配分され、移動局１はＨＲＰＤセッションを確立する。ＲＡＮ１０４には別の移動局３０８が無線で結合する。ＨＲＰＤリソース３０１は移動局１に通知することなく移動局３０８へ再配分される。移動局３０８はＨＲＰＤリソース３０１を使ってＨＲＰＤセッションを確立する。移動局１のＨＲＰＤセッションは、移動局３０８のＨＲＰＤセッションと同時に維持され、その間、移動局１はアイドル状態にあってＰＳＤチャネルやＰＰＰセッションを使用しない。
【００２８】
この状態で移動局３０８はＰＳＤチャネル１２４を使って動作し、移動局１はＣＳチャネル１２２を使用し、ただしＰＳＤチャネル１２４は使用しない可能性がある。移動局１と移動局３０８は実際には、移動局１がＰＰＰセッションの確立を試みるかＰＳＤチャネル１２４の使用を試みるまで、ＨＲＰＤリソース３０１を共有する。移動局１はＨＲＰＤリソース３０１が移動局３０８へ再配分されたことに気づかない。
【００２９】
移動局１がＰＰＰセッションを確立するか、ＰＳＤチャネル１２４を使用することによってアクティブになることを決める場合は、ＨＲＰＤリソース３０２−３０６から別のＨＲＰＤリソースを使用できる。例えば移動局１がアクティブになってＰＳＤチャネル１２４を使用することに決めると、ＲＡＮ１０４は、移動局１がＨＲＰＤリソース３０１の有効ユーザでなくなったと判断し得る。そして、ＲＡＮ１０４は、ＰＳＤチャネルを使用せずＰＰＰセッションも保持していない移動局によって使われている別のＨＲＰＤリソース３０２−３０６のうちの１つを探し出す。
【００３０】
例えば図３の矢印が示すとおり、現在移動局６に配分されているＨＲＰＤリソース３０６は、移動局６に通知することなく移動局１に再配分できる。この場合、移動局６がＰＳＤチャネル１２４を使用するか、ＰＰＰセッションを確立することを決めるまでは、ＨＲＰＤリソース３０６は移動局６と移動局１とによって同時に使われる。
【００３１】
一実施形態においては、ＨＲＰＤリソース３０１−３０６の再配分に優先順位を付けることができる。例えば第１優先度グループ３１０は、ＰＳＤチャネル１２４の使用契約がない対応する移動局の１つ以上のＨＲＰＤリソースを含み得る。例えば第１優先度グループは、ＥＶ−ＤＯリソースの使用契約がなく、ＣＳチャネル１２２または音声向けに最適化されたサービスのみを通信ネットワーク３００の中で使用する、移動局に配分されたＨＲＰＤリソースを含み得る。一実施形態において、第１優先度グループに割り当てられた移動局はＰＳＤチャネル１２４を使用することができず、それらの移動局に割り当てられたＨＲＰＤセッションはＥＶ−ＤＯ仕様準拠の目的以外には使われないため、第１優先度グループ３１０のＨＲＰＤリソースは最有力候補として後続の移動局に再配分される。
【００３２】
別の例で、第２優先度グループ３１２は、ＰＳＤチャネル１２４の使用契約がある移動局で、ただしまだＰＰＰセッションを確立していない移動局に対応する１つ以上のＨＲＰＤリソースを含み得る。第３優先度グループ３１４は、かつてＰＰＰセッションを確立したことがある移動局で、ただし現在はＰＰＰセッションを保持していない移動局に対応する１つ以上のＨＲＰＤリソースを含み得る。第３優先度グループ３１４の中のＨＲＰＤリソースはさらに、移動局がＰＰＰセッションを保持していたときからどれくらい時間が経過しているかに基づいて、第４優先度グループ３１６に組み入れることもできる。
【００３３】
さらに別の実施形態において、第５優先度グループ３１８はＰＳＤチャネルを積極的に使ってこなかった移動局に対応する１つ以上のＨＲＰＤリソースを含み得る。このグループは、各移動局がＰＳＤチャネルを積極的に使っていたときからどれくらい時間が経過しているかに基づいて、さらに整理することもできる。
【００３４】
図４は、本発明の例示的実施形態に従いフロー図４００を典型的に示すものである。ステップ４０２では、ＲＡＮへ無線で結合する第１の移動局にＨＲＰＤリソースを配分する。ステップ４０４では、ＨＲＰＤリソースを使って第１の移動局とＲＡＮとの間で第１のＨＲＰＤセッションを確立する。
【００３５】
ステップ４０６では、通信ネットワークの中で第２の移動局がＲＡＮを用いてアクティブになり、ＨＲＰＤセッションを要求する。ステップ４０８では、第１の移動局には知らせずに、第２の移動局にＨＲＰＤリソースを再配分する。ステップ４１０では、第２の移動局がＨＲＰＤリソースを使って第２のＨＲＰＤセッションを確立する。ステップ４１２では、同じＨＲＰＤリソースを使って第１の移動局の第１のＨＲＰＤセッションと第２の移動局の第２のＨＲＰＤセッションとを同時に維持するが、第１の移動局はＰＳＤチャネルを使用していない。
【００３６】
ステップ４１４では、第１の移動局がＰＳＤチャネルの使用を試みているか否かを判断する。使用を試みていない場合プロセスはステップ４１２に戻る。第１の移動局がＰＳＤチャネルの使用を試みている場合、第１の移動局にＨＲＰＤリソースが配分されているか否かをステップ４１６で判断する。配分されている場合、ステップ４２４に従って第１の移動局にＰＳＤチャネルの使用を許可する。配分されていない場合、第１の移動局によって送信されるメッセージのタイプが要求メッセージタイプか否かをステップ４１８で判断する。要求メッセージタイプには、例えばＰＳＤチャネル要求、接続要求等があり、ただし、これらに限定されない。他のタイプのメッセージを要求メッセージタイプに盛り込むこともでき、本発明は上述した例に限定されない。メッセージのタイプが要求メッセージタイプでなければ、ステップ４２６に従い第１の移動局からＲＡＮへ至るメッセージは破棄される。例えば、第１の移動局が、引き続き有効なＨＲＰＤセッションとＨＲＰＤリソースを保持していると考え、自身の位置情報の更新を試みるメッセージをＲＡＮに送信した場合、そのメッセージは破棄される。ただし、第１の移動局がＰＳＤチャネル要求メッセージを送信した場合、システムはこの移動局に有効なＨＲＰＤセッションとＨＲＰＤリソースがなくなっていると認識し、セッション閉鎖メッセージを送信し、これを受けて移動局はセッション要求メッセージを送信する。したがって、もしもステップ４１８で第１の移動局によって送信されるメッセージのタイプが要求メッセージタイプなら、ステップ４２０に従い移動局との第１のＨＲＰＤセッションを閉鎖し、ステップ４２２に従い第２のＨＲＰＤリソースを使って第１の移動局とＲＡＮとの間で第３のＨＲＰＤセッションを確立する。一実施形態において、第２のＨＲＰＤリソースは上述したプロセスと同様のやり方で別の移動局から（その移動局に知られずに）再配分できる。
【００３７】
図５は、本発明の別の例示的実施形態に従いフロー図５００を典型的に示すものである。ステップ５０２では、ＲＡＮへ無線で結合する移動局に複数のＨＲＰＤリソースのいずれか１つを配分する。ステップ５０４では、ＨＲＰＤリソースを使って移動局とＲＡＮとの間でＨＲＰＤセッションを確立するが、移動局はＰＳＤチャネルを使用していない。
【００３８】
ステップ５０６では、通信ネットワークの中で別の移動局がＲＡＮへ無線結合し、ＨＲＰＤセッションを要求する。ステップ５０７では、上述した優先度グループを１つ以上使って複数のＨＲＰＤリソースの再配分に優先順位を付ける。ステップ５０８では、ＨＲＰＤリソースを第１の移動局に通知することなく追加の移動局に再配分する。ステップ５１０では、追加の移動局がＨＲＰＤリソースを使って追加のＨＲＰＤセッションを確立する。ステップ５１２では、同じＨＲＰＤリソースを使って第１の移動局のＨＲＰＤセッションと第２の移動局の第２のＨＲＰＤセッションとを同時に維持するが、第１の移動局はＰＳＤチャネルを使用していない。
【００３９】
ステップ５１４では、第１の移動局がＰＳＤチャネルの使用を試みているか否かを判断する。使用を試みていない場合、プロセスはステップ５１２まで戻る。第１の移動局がＰＳＤチャネルの使用を試みている場合、第１の移動局にＨＲＰＤリソースが配分されているか否かをステップ５１６で判断する。配分されている場合、ステップ５２４に従って第１の移動局にＰＳＤチャネルの使用を許可する。配分されていない場合、第１の移動局によって送信されるメッセージのタイプが要求メッセージタイプか否かをステップ４１８で判断する。要求メッセージタイプには、例えばＰＳＤチャネル要求、接続要求等があり、ただし、これらに限定されない。タイプの異なるメッセージを要求メッセージタイプに盛り込むこともでき、本発明は上述した例に限定されない。メッセージのタイプが要求メッセージタイプでなければ、ステップ５２６に従い第１の移動局からＲＡＮへ至るメッセージは破棄される。例えば、第１の移動局が引き続き有効なＨＲＰＤセッションとＨＲＰＤリソースを保持していると考え、自身の位置情報の更新を試みるメッセージをＲＡＮに送信した場合、そのメッセージは破棄される。ただし、第１の移動局がＰＳＤチャネル要求メッセージを送信した場合、システムはこの移動局に有効なＨＲＰＤセッションとＨＲＰＤリソースがなくなっていると認識し、セッション閉鎖メッセージを送信し、これを受けて移動局はセッション要求メッセージを送信する。したがって、もしもステップ５１８で第１の移動局によって送信されるメッセージのタイプが要求メッセージタイプなら、ステップ５２０に従い第１の移動局との第１のＨＲＰＤセッションを閉鎖し、ステップ５２２に従い、第２のＨＲＰＤリソースを使って第１の移動局とＲＡＮとの間で別のＨＲＰＤセッションを確立する。
【００４０】
上述した本発明の方法及び装置は、通信ネットワークの利用可能な物理的キャパシティを増大させずに、通信ネットワークの有効ＨＲＰＤセッションキャパシティを増大させ、エンドユーザへの影響は最小限にとどめる。事実、エンドユーザは自身のＨＲＰＤリソースがいつ再配分されたかを知らされないため、通信ネットワークの中でＨＲＰＤリソースを最適化するこの方法に気づかない。
【００４１】
上記の明細書では特定の例示的実施形態を参照しながら本発明を説明した。ただし、請求項に示す本発明の範囲から逸脱することなく、様々な修正及び変更を施せることは理解されよう。明細書と図は制限的ではなく例証的とみなすべきものであり、そのような修正はどれも本発明の範囲内に含まれるものとする。したがって、本発明の範囲は、単に上述した例によってではなく、添付の請求項とこれの法律上の均等物とによって決まる。
【００４２】
例えば、任意の方法またはプロセスの請求項で列挙されるステップはどんな順序でも実行でき、請求項に提示される特定の順序に限定されない。加えて、任意の装置の請求項で列挙される構成要素及び要素のうちの少なくとも一方は、本発明と概ね同じ結果を出すよう様々な順列で組み立てたり、機能的に構成することができるので、請求項で列挙される特定の構成に限定されない。
【００４３】
これまで特定の実施形態との関係で便益とその他の利点と問題の解決策とを説明してきたが、便益、利点、問題の解決策は、あるいは何らかの特定の便益、利点、解決策を生み出したり際立たせたりする何らかの要素は、請求項の一部または全体の重大な、必須の、または本質的な特徴あるいは構成要素と解釈すべきものではない。
【００４４】
具体的に列挙しなかったものに加え、本発明の実践にあたって使用する上記の構造、配置、適用、比率、要素、材料、または構成要素の他の組み合わせ及び修正のうちの少なくとも一方は、本発明の一般原理から逸脱することなく変えることができ、あるいは特定の環境、製造仕様、設計パラメータ、またはその他の作業要件に合わせて変更することができる。
【図面の簡単な説明】
【００４５】
【図１】本発明の例示的実施形態に従い通信ネットワークのブロック図を典型的に示す。
【図２】従来技術における高速パケットデータセッション使用のグラフを典型的に示す。
【図３】本発明の例示的実施形態に従い通信ネットワークを典型的に示す。
【図４】本発明の例示的実施形態に従いフロー図を典型的に示す。
【図５】本発明の別の例示的実施形態に従いフロー図を典型的に示す。
【図１】
2009535919.tif 000003
【図２】
2009535919.tif 000004
【図３】
2009535919.tif 000005
【図４】
2009535919.tif 000006
【図５】
2009535919.tif 000007
【国際調査報告】
2009535919.tif 000008
2009535919.tif 000009